(57)【要約】【課題】周辺の明るさを加味して人が感じる明るさ（明るさ感）を効果的に向上可能な街路灯を提供する。【解決手段】街路灯１は、器具本体１０のケース体２０の底面１０Ａに発光素子を配置し、器具本体１０の周りにケース体２０から延出する支持体６１を設け、支持体６１に、発光素子の出射光を制御する配光制御部材７０を着脱自在に取り付ける構成とする。【選択図】図２
2015082357.tif 000002
【特許請求の範囲】
【請求項１】
器具本体のケース体底面に発光素子を配置し、
前記器具本体の周りに前記ケース体から延出する支持体を設け、
前記支持体に、前記発光素子の出射光を制御する配光制御部材を着脱自在に取り付けたことを特徴とする街路灯。
【請求項２】
前記ケース体の天面にアーム型の支柱を固定するアーム用固定部を設けるとともに、前記ケース体の底面にポール型の支柱を固定するポール用固定部を設けたことを特徴とする請求項１に記載の街路灯。
【請求項３】
前記アーム用固定部と前記ポール用固定部とを対向して設けたことを特徴とする請求項２に記載の街路灯。
【請求項４】
前記器具本体の周囲に前記支持体に支持される支持部材を設け、前記配光制御部材を前記支持部材に固定したことを特徴とする請求項１乃至３のいずれかに記載の街路灯。
【請求項５】
前記配光制御部材は周辺の明るさを加味した明るさ感が所定値となるように構成されることを特徴とする請求項１乃至４のいずれかに記載の街路灯。
【請求項６】
前記配光制御部材は、周辺の明るさが高い場所に設置される場合には主として前記器具本体の直下へ配光し、周辺の明るさが低い場所に設置される場合には前記器具本体の周囲へ配光するように構成されることを特徴とする請求項１乃至５のいずれかに記載の街路灯。
【発明の詳細な説明】
【技術分野】
【０００１】
本発明は、発光素子を光源に備えた街路灯に関する。
【背景技術】
【０００２】
近年の発光素子の高出力化、高寿命化に伴い、発光素子を光源に採用した照明器具が普及しつつある。光源を納めた器具本体を屋外に立設した支柱に支持して地面を照明する街路灯においても例外ではなく、光源に発光素子を採用した街路灯が各種提案されている（例えば、特許文献１参照）。
【先行技術文献】
【特許文献】
【０００３】
【特許文献１】特開２００８−２１８１８２号公報
【発明の概要】
【発明が解決しようとする課題】
【０００４】
種々の照度推奨値は、周囲に光が多い環境（例えば商業施設など）ほど高い照度値を、周囲に光が少ない環境（例えば公園など）ほど低い照度値が制定されている。
しかしながら、従来は、街路灯のみの光で照明設計が行われるため、周辺の明るさを加味して設計を行うことが煩雑であった。
本発明は、上述した事情に鑑みてなされたものであり、周辺の明るさを加味して人が感じる明るさ（明るさ感）を効果的に向上可能な街路灯を提供することを目的とする。
【課題を解決するための手段】
【０００５】
上述した目的を達成するために、本発明の街路灯は、器具本体のケース体底面に発光素子を配置し、前記器具本体の周りに前記ケース体から延出する支持体を設け、前記支持体に、前記発光素子の出射光を制御する配光制御部材を着脱自在に取り付けたことを特徴とする。
【０００６】
上述の構成において、前記ケース体の天面にアーム型の支柱を固定するアーム用固定部を設けるとともに、前記ケース体の底面にポール型の支柱を固定するポール用固定部を設けてもよい。
【０００７】
上述の構成において、前記アーム用固定部と前記ポール用固定部とを対向して設けてもよい。
【０００８】
上述の構成において、前記器具本体の周囲に前記支持体に支持される支持部材を設け、前記配光制御部材を前記支持部材に固定してもよい。
【０００９】
上述の構成において、前記配光制御部材は周辺の明るさを加味した明るさ感が所定値となるように構成されてもよい。
【００１０】
上述の構成において、前記配光制御部材は、周辺の明るさが高い場所に設置される場合には主として前記器具本体の直下へ配光し、周辺の明るさが低い場所に設置される場合には前記器具本体の周囲へ配光するように構成されてもよい。
【発明の効果】
【００１１】
本発明によれば、器具本体の周りに配光制御部材を着脱自在に取り付けたため、周辺の明るさに応じて配光制御部材を変更できるので、周辺の明るさに応じて容易に配光制御できる。
【図面の簡単な説明】
【００１２】
【図１】本発明の実施形態に係る、ポール型の支柱に支持する街路灯を上方から示す斜視図である。
【図２】ポール型の支柱に支持する街路灯を下方から示す斜視図である。
【図３】ポール型の支柱に支持する街路灯を示す分解斜視図である。
【図４】評価対象画像をＮＢ値の平均値とともに示す図であり、（Ａ）はＮＢ値の平均値が３．４６の評価対象画像、（Ｂ）はＮＢ値の平均値が４．７９の評価対象画像、（Ｃ）はＮＢ値の平均値が３．９９の評価対象画像である。
【図５】要素の尺度とＮＢ値の平均値との関係を示す図であり、（Ａ）は明るさ、（Ｂ）は適切さ（Ｃ）はまぶしさについて示す。
【図６】理想的な光環境を示す説明図であり、（Ａ）は街（例えば商業施設など）のような周辺の明るさが高い場合での光環境、（Ｂ）は町（例えば公園など）のような周辺の明るさが低い場合での光環境を示す。
【図７】街路灯を示す縦断面図である。
【図８】別の配光制御部材を取り付けた街路灯を示す断面図である。
【図９】アーム型の支柱に支持する街路灯を上方から示す斜視図である。
【図１０】アーム型の支柱に支持する街路灯を下方から示す斜視図である。
【図１１】アーム型の支柱に支持する街路灯を示す分解斜視図である。
【図１２】ポール用ホルダを取り付けたポール用固定部を下方から拡大して示す斜視図である。
【図１３】ポール用固定部を下方から拡大して示す斜視図である。
【図１４】アーム用固定部を上方から拡大して示す斜視図である。
【図１５】蓋体を取り付けたアーム用固定部を上方から拡大して示す斜視図である。
【図１６】アーム用ホルダを取り付けたアーム用固定部を上方から拡大して示す斜視図である。
【図１７】蓋体を取り外したポール用固定部を下方から拡大して示す斜視図である。
【図１８】蓋体を取り付けたポール用固定部を下方から拡大して示す斜視図である。
【発明を実施するための形態】
【００１３】
以下、図面を参照して本発明の実施形態について説明する。
図１は本実施形態に係る街路灯を上方から示す斜視図であり、図２は街路灯を下方から示す斜視図である。
街路灯１は、図１に示すように、ポール型（ストレート型とも呼ばれる）の支柱２、又は、アーム型の支柱３（図９参照）の先端部４に支持される器具本体１０を備えている。支柱２，３は地面に立設された柱であり、ポール型の支柱２は、その先端部４が鉛直方向に真っ直ぐに延び、アーム型の支柱３は、柱の途中から曲がって水平方向に水平、或いは所定角度傾いて延びた後、先端部４が下方に延びている。この街路灯１の器具本体１０は、支柱２，３の両方に取り付け可能に構成されている。なお、支柱３は、水平方向に水平、或いは所定角度傾いて延びた後下方に延びるアーム部を支柱２の上部に取り付けて構成されてもよい。
【００１４】
器具本体１０は、アルミダイカスト等で略円盤状に形成され、図１及び図２に示すように、中央部１１Ａで上述の支柱２，３の先端部４に支持されて設置される。
器具本体１０は、底面１０Ａにポール用固定部４０が設けられ、天面１０Ｂにアーム用固定部５０が設けられている。ポール型の支柱２に器具本体１０を支持する場合には、当該支柱２の先端部４が器具本体１０の底面１０Ａからポール用固定部４０に固定され、またアーム型の支柱３に支持する場合には、当該支柱３の先端部４が器具本体１０の天面１０Ｂからアーム用固定部５０に固定される。
なお、図１及び図２では、ポール型の支柱２に支持する街路灯１が示されている。
【００１５】
図３は、ポール型の支柱２に支持する街路灯１を示す分解斜視図である。
器具本体１０の底面１０Ａには照射開口１２が形成され、この照射開口１２が透明なグローブ１３で覆われている。グローブ１３は、略平坦な出射面１３Ａを有し、ポール用固定部４０を避けるように環状（多角形の環を含む。本実施形態では、略円環状）に形成されている。器具本体１０には、ポール用固定部４０の周囲に、光源３０を構成する複数（本実施形態では６個）の光源ユニット３１が内設されている。複数の光源ユニット３１は、環状（多角形の環を含む。本実施形態では、略円環状）に配置され、本実施形態では、略円環状に一列に配置されている。
【００１６】
器具本体１０は、略円板状に形成されたベースケース体２１と、ベースケース体２１の外縁部１１Ｂに設けられた側方ケース体２２とを一体に備え、これらが器具本体１０の有底円筒状のケース体２０を構成する。ケース体２０は、屋外使用に十分に耐え得る耐食性があり、なおかつ、熱伝導性が高い材料（例えばアルミニウムやアルミニウム合金）を用いて形成されている。高熱伝導性の材料を用いることで、後述する光源ユニット３１の発熱がケース体（本実施形態では、特にベースケース体２１）から放熱され、光源ユニット３１の光源温度が発光動作に適切な温度に維持される。
ベースケース体２１は、器具本体１０の外側面のうち、底面１０Ａ及び天面１０Ｂを構成し、側方ケース体２２は、器具本体１０の側面１０Ｃを構成する。
【００１７】
ベースケース体２１には、底面１０Ａに照射開口１２及びポール用固定部４０が形成され、天面１０Ｂにアーム用固定部５０が形成されている。ベースケース体２１の下面には、グローブ１３が照射開口１２を覆うように固定具としてのネジ（不図示）でネジ止め固定される。このグローブ１３の内縁部及び外縁部には、シール部材としての環状のパッキン１４が全周に亘って嵌め込まれており、グローブ１３をベースケース体２１に取り付けた際には、グローブ１３とベースケース体２１との間でパッキン１４が挟み込まれて、照射開口１２がシールされる。
ベースケース体２１は、その内部が器具本体１０の中央部１１Ａの固定室２３Ａと、外縁部１１Ｂ側の光源室２３Ｂとに仕切２４で仕切られている。固定室２３Ａにはポール用固定部４０が形成され、光源室２３Ｂには光源ユニット３１が配設されている。
【００１８】
光源ユニット３１は、街路灯１の光源３０を構成し、ＣＯＢ型ＬＥＤ（発光素子）３３をＬＥＤソケット３４を用いて器具本体１０にネジ止め固定している。ＬＥＤソケット３４は、ＣＯＢ型ＬＥＤ３３の発熱を裏面に効率良く伝えるために、高熱伝導性を有する例えばセラミック等で形成されている。ＣＯＢ型ＬＥＤ３３は、多数のＬＥＤをＬＥＤ基板３２の上に密集配置して平面視略円形（四角形も有り得る）の面状の発光部３３Ａを形成したチップオンボード（ＣＯＢ）構造の発光デバイスである。この面状の発光部３３Ａは、この面に略垂直な方向（以下、単に直下方向と言う。）に光軸Ｆを有し、この光軸Ｆが器具本体１０の底面１０Ａを指向する姿勢で器具本体１０の中に配置される。ＣＯＢ型ＬＥＤ３３は、多数のＬＥＤが密集配置されていることから大光量で高輝度な灯具が得られる。
【００１９】
光源室２３Ｂの天井を構成するベースケース体２１の天井面２０Ａには、ＬＥＤ基板３２の裏面と面接触して支持する台座面２５がベースケース体２１の周方向に沿って所定の間隔で設けられている。各台座面２５は、ＬＥＤ基板３２の各々が同一水平面（照射開口１２の開口面から一定の距離）に位置するように天井面２０Ａからの高さが設定されている。
台座面２５は、ベースケース体２１の天井面２０Ａに一体に形成されており、高熱伝導性を有するＬＥＤ基板３２を通じてＣＯＢ型ＬＥＤ３３の発熱が伝えられる。台座面２５の熱は、ベースケース体２１の天井面２０Ａに伝えられ、当該ベースケース体２１の天面１０Ｂから外部に放熱され、これにより、ＣＯＢ型ＬＥＤ３３の光源温度が発光動作に適切な温度に維持される。なお、ＣＯＢ型ＬＥＤ３３に代えて、他の構造のＬＥＤ、或いは有機ＥＬ等の他の発光素子を用いても良いことは勿論である。
【００２０】
本実施形態では、ベースケース体２１には、光源室２３Ｂの内側及び外側に各光源ユニット３１を包囲する平面視略円形枠状の包囲壁２６，２７を設け、包囲壁２６，２７の中を水密にすることで、光源室２３Ｂを防水することとしている。すなわち、包囲壁２６，２７の全周に亘り、それらの先端２６Ａ，２７Ａが、グローブ１３のパッキン１４に密着し、これにより包囲壁２６，２７の内部が水密にシールされる。
仕切２４及び包囲壁２６には、電源線引込孔２８Ａ，２８Ｂが開口し、この電源線引込孔２８Ａ，２８Ｂを通じて電気配線が固定室２３Ａから光源室２３Ｂに引き込まれる。このとき電源線引込孔２８Ｂをシールするために、この電源線引込孔２８Ｂにブッシング１５（図１３参照）を嵌合し、このブッシング１５に電源線を通して配線される。
【００２１】
器具本体１０の天面１０Ｂは、図１に示すように、中央部１１Ａを頂点にして外縁部１１Ｂ側が低くなるように弧を描いて緩やかに屈曲した曲面形状を成し、天面１０Ｂに降り注ぐ風雨、及び積雪が外側に促されるようになっている。
また、器具本体１０の天面１０Ｂには、アーム用固定部５０の周囲に、中央部１１Ａから放射状に延びる複数の溝２９が形成されている。これにより、天面１０Ｂに降り注ぐ雨水や積雪を外縁部１１Ｂ側に移動させつつ、天面１０Ｂの外縁部１１Ｂからスムーズに落下させるようになっている。また、これらの溝２９により、器具本体１０の表面積が増えるので、天面１０Ｂからの放熱性を向上できる。
本実施形態では、各溝２９が上述の台座面２５（図３）の直上に対応した位置に設けられており、台座面２５を通じて伝熱される光源３０の熱で積雪を効率良く溶かすようになっている。
【００２２】
次に、街路における理想的な光環境について説明する。
発明者は、被験者に複数の評価対象を所定の歩行者の目線の高さ（約１．５ｍ）且つ歩行方向の角度（水平視）で主観評価させるとともに、さらに、同じアングル（高さ及び角度）で評価対象を撮影した評価対象画像に対して明るさ尺度値の算出を行った。発明者は、被験者による主観評価の結果から、人が感じる明るさ（明るさ感）は、主に明るさ（強度）、明るさの適切さ、まぶしさの３つの要素から成り、街路における理想的な光環境は、暗くもなく明るくもない光環境、明るさが適切な光環境、グレアが気にならない光環境であるとの知見を得た。それぞれの評価対象に対し被験者が３つの要素を評価した結果の例を図４に示す。図４は被験者が評価した評価対象の評価対象画像を明るさ尺度値（ＮＢ値）の平均値とともに示す図である。ここでは、人が感じる明るさを定量化して示すために、明るさ画像のＮＢ値の平均値を用いている。明るさ画像は評価対象画像のうちについて人が感じる明るさを定量化した明るさ値の分布を示す画像であり、例えば特開２００４−０６１１５０号公報や国際公開２００６／１３２０１４号パンフレット、出願人の先願である特願２０１２−１８７２５９などに開示の技術を用いることができる。また、ＮＢ値の平均値は、有効視野（上下２０°、左右３０°）の範囲のＮＢ値を平均した値である。
【００２３】
図４（Ａ）に示すＮＢ値の平均値が３．４６の評価対象画像に対しては、明るさはやや暗く、明るさの適切さはどちらでもなく、グレアはあまり気にならないという評価が得られた。
図４（Ｂ）に示すＮＢ値の平均値が４．７９の評価対象画像に対しては、明るさはやや明るく、明るさは適切であり、グレアはあまり気にならないという評価が得られた。
図４（Ｃ）に示すＮＢ値の平均値が３．９９の評価対象画像に対しては、暗くもなく明るくもなく、明るさは適切であり、グレアは気にならないという評価が得られた。
このような３つの要素の評価（尺度）とＮＢ値の平均値との関係を図５に示す。
【００２４】
図５に示すように、暗くもなく明るくもない光環境、且つ、明るさが適切な光環境、且つ、グレアが気にならない光環境である理想的な光環境とは、ＮＢ値の平均値が略４．０ＮＢ程度であるとの知見を得た。
これらの知見から、さらに、図６に示すように、街（例えば商業施設など）のような周辺の明るさが高い場所ではグレアを抑えるように主として器具本体１０の直下へ配光し、町（例えば公園など）のような周辺の明るさが低い場所では明るさ感を得るため器具本体１０の周囲へ配光することが望ましいとの知見を得た。
【００２５】
対象空間を３Ｄシミュレーションソフトを用いて再現し、正確な輝度分布図を算出することで、ＮＢ値や周辺の明るさを予測することができる。
周辺の明るさを求める場合は、周辺の明るさを便宜的に設計対象とする街路灯が未設置もしくは消灯状態の輝度分布図の平均輝度とする。ただし、光源とみなせる高輝度部分（概ね２０００ｃｄ／■以上）は周辺の明るさの算出からは除くものとする。
【００２６】
そして、街路灯を含む光環境のＮＢ値の平均値が略４．０ＮＢ程度となるように、明るさ画像における輝度が設定された街路灯を設置すればよい。街路灯を複数用いて街路の光設計を行う場合には、複数の街路灯によって街路灯を含む光環境のＮＢ値の平均値が略４．０ＮＢ程度となるように、明るさ画像における輝度が設定された街路灯を複数設置すればよい。
【００２７】
本実施形態では、街路灯１を含む光環境のＮＢ値の平均値が略４．０ＮＢ程度（所定値）となるように、周辺の明るさに応じて配光制御を変える、すなわち、周辺の明るさが低い場合には器具本体１０の周囲へ配光し、周辺の明るさが高い場合には主として器具本体１０の直下へ配光するように、街路灯１を構成している。ここで、周辺の明るさが高いとは、直下の配光だけでＮＢ平均値が略４．０ＮＢ程度になる場合を言う。また、周辺の明るさが低いとは、直下の配光だけではＮＢ平均値が略４．０ＮＢ程度に満たない場合を言い、この場合、器具本体１０の周囲へ配光する。
具体的には、器具本体１０に化粧枠（支持部材）６０を設け、この化粧枠６０に光源３０の光を配光制御する配光制御部材７０を着脱自在に支持し、周辺の明るさに応じて配光制御部材７０を変更できるようにしている。なお、配光の実現手段としての光源の種別（ＬＥＤやＨＩＤなど）は問わない。
【００２８】
図７は街路灯１を示す縦断面図であり、図８は別の配光制御部材７０Ｂを取り付けた街路灯１を示す断面図である。
化粧枠６０は、図７に示すように、器具本体１０の照射開口１２を囲う大きさに形成され、器具本体１０の周囲に支持体６１を介して支持されている。本実施形態では、化粧枠６０は、器具本体１０のベースケース体２１の外縁部１１Ｂより大きく形成されるとともに、器具本体１０の径方向外側に延びる少なくとも（本実施形態では、４つ）支持体６１に支持されることで、器具本体１０と化粧枠６０との間に空間Ｓ（図１）が形成されている。これにより、器具本体１０と化粧枠６０とを一体化した場合に比べ、街路灯１の面積が小さくなるので、街路灯１は風の影響を受け難くなるとともに、街路灯１に雪が積もり難くなり、また、街路灯１を軽量化することができる。
【００２９】
化粧枠６０は、屋外使用に十分に耐え得る耐食性を有する材料で形成され、下側（先端側）を縮径した略筒状を成す。化粧枠６０の内周面には配光制御部材７０を固定するボス状の複数の支持片６３が形成され、化粧枠６０の下端には化粧枠６０の周に亘って内側に延出する化粧面６２が形成されている。また、化粧枠６０は、街路灯１の出射範囲を規定する機能も果たす。化粧枠６０の内側には、配光制御部材７０が配置され、この配光制御部材７０が支持片６３の上面に支持される。
【００３０】
配光制御部材７０は、周辺の明るさに応じて配光が設定される光学部材であり、街路灯１には、周辺の明るさに応じて配光が設定された配光制御部材７０が取り付けられる。
具体的には、周辺の明るさが乏しい場合には、器具本体１０の周囲へ配光する部材（例えば、拡散部材や反射部材等）で構成された配光制御部材７０Ａが街路灯１に取り付けられる。本実施形態では、配光制御部材７０Ａは拡散部材として構成され、図７に示すように、化粧枠６０内に配置される略円筒状の本体部７１Ａと、本体部７１Ａの下端から化粧枠６０の下方に延出する略円筒状の延出部７２Ａとを一体に備えている。また、配光制御部材７０Ａは、本体部７１Ａの上端から外側に突出する固定部７３Ａを一体に備え、この固定部７３Ａが化粧枠６０の支持片６３に固定される。本体部７１Ａ及び延出部７２Ａは、下側（先端側）を縮径し、延出部７２Ａは本体部７１Ａよりも大きく縮径している。本体部７１Ａ及び延出部７２Ａの角度や延出部７２Ａの上下方向の長さは、周辺の明るさに応じて設定される。本実施形態では、光源ユニット３１は直接光の出射角度が片側６０°の範囲になるように構成されているため、延出部７２Ａの長さは、所定の出射角度θ（本実施形態では、片側６０°）をカットする長さに設定されている。このように、化粧枠６０から下方に延出する拡散部材としての延出部７２Ａを設けることで、延出部７２Ａを透過する光が器具本体１０の周囲に拡散されて配光されるので、街路灯１の輝度を高めることができる。
【００３１】
一方、周辺の明るさが高い場合には、主として器具本体１０の直下へ配光する部材（例えば、遮光部材又は反射部材等）で構成された配光制御部材７０Ｂが街路灯１に取り付けられる。本実施形態の配光制御部材７０Ｂは、遮光部材として構成され、図８に示すように、化粧枠６０内に配置される略円筒状の本体部７１Ｂと、本体部７１Ｂの上端から外側に突出して化粧枠６０の支持片６３に固定される固定部７３Ｂとを一体に備えている。この遮光部材としての配光制御部材７０Ｂにより、光源ユニット３１から広がって出射された光が遮光され、器具本体１０の直下へ主に配光される。また、本実施形態では本体部７１Ｂは下側（先端側）を拡径しているため、出射光の広がりをより抑えることができる。
【００３２】
このように、配光制御部材７０を着脱自在に設けたため、周辺の明るさに応じた配光制御部材７０Ａ，７０Ｂを取り付けることで、周辺の明るさに応じて配光制御を変えることができる。また、器具本体１０を防水構造とし、器具本体１０と別体の化粧枠６０に配光制御部材７０を取り付けたため、配光制御部材７０の着脱時に、器具本体１０の防水構造を変更する必要がないので、配光制御部材７０を容易に着脱できる。さらに、配光制御部材７０は、略円筒状に形成されるため、器具本体１０と化粧枠６０との間に空間Ｓを設けて配置しても、器具本体１０の外縁部１１Ｂから落下した雨水や積雪が、配光制御部材７０に溜まることを防止できる。
【００３３】
次に、街路灯１の支柱２，３への固定構造について説明する。
図９はアーム型の支柱３に支持する街路灯１を上方から示す斜視図であり、図１０は街路灯１を下方から示す斜視図であり、図１１はアーム型の支柱３に支持する街路灯１を示す分解斜視図である。なお、これらの図には、配光制御部材７０を、配光制御部材７０Ａとして図示したが、配光制御部材７０Ｂであってもよい。
ポール型の支柱２に街路灯１が取り付けられる場合、図３に示すように、ポール用固定部４０にポール用ホルダ４１が固定され、このポール用ホルダ４１に支柱２が固定される。
一方、アーム型の支柱３に街路灯１が取り付けられる場合、図９乃至図１１に示すように、アーム用固定部５０にアーム用ホルダ５１が固定され、このアーム用ホルダ５１に支柱３が固定される。
このように、器具本体１０にポール用固定部４０及びアーム用固定部５０の両方を設けることで、ケース体２０（すなわち器具本体１０）が支柱２，３のいずれにも支持されることとなる。
これらポール用固定部４０及びアーム用固定部５０のうち、先端部４が固定されていない方は、図１及び図１１に示すように、蓋体１６，１７で閉塞される。
【００３４】
まず、ポール型の支柱２に街路灯１が取り付けられる場合の固定構造について説明する。
図１２及び図１３はポール型の支柱２に取り付けられる街路灯１を示す図であり、図１２はポール用ホルダ４１を取り付けたポール用固定部４０を下方から拡大して示す斜視図であり、図１３はポール用固定部４０を下方から拡大して示す斜視図である。図１４はアーム用固定部５０を上方から拡大して示す斜視図であり、図１５は蓋体１６を取り付けたアーム用固定部５０を上方から拡大して示す斜視図である。
ポール型の支柱２に街路灯１が取り付けられる場合に使用されるポール用ホルダ４１は、図１２に示すように、支柱２の外側に配置される筒部４１Ａと、筒部４１Ａの端面に形成されるフランジ部４１Ｂとを備えている。ポール用ホルダ４１には、支柱２の中を通じて先端部４から引き出された電気配線を保持する配線支持体４２が設けられている。
【００３５】
ポール用固定部４０は、器具本体１０の底面１０Ａ（すなわち、ケース体２０の天井面２０Ａ側）に設けられ、図１３に示すように、ポール用ホルダ４１を固定するためのホルダ固定面（ネジ固定面）４３を備えている。ホルダ固定面４３は、仕切２４の内側に形成された平面視略円形枠状の固定壁４４の先端４４Ａに形成されている。ホルダ固定面４３は仕切２４の先端２４Ａよりも天井面２０Ａからの高さが低く形成されている。
固定壁４４には、仕切２４の電源線引込孔２８Ａに対応する位置に電源線引込孔４５が開口し、これらの電源線引込孔２８Ａ，４５を通じて電気配線が固定室２３Ａから光源室２３Ｂに引き込まれる。
図１２に示すように、ポール用ホルダ４１は、そのフランジ部４１Ｂがホルダ固定面４３に固定具としてのネジ（不図示）でネジ止めされることで、ポール用固定部４０に固定される。ポール用ホルダ４１がポール用固定部４０に固定されると、フランジ部４１Ｂによって、仕切２４で囲まれる空間Ｒが塞がれる。支柱２は、ポール用ホルダ４１の筒部４１Ａの外周面に固定具としてのネジ（不図示）で固定される。
【００３６】
アーム用固定部５０は、器具本体１０の天面１０Ｂに設けられ、図１４に示すように、天面１０Ｂに平坦部５２を備えている。平坦部５２の中央部１１Ａには貫通孔５２Ａが形成され、この貫通孔５２Ａの周囲の平坦部５２にはアーム型の支柱３を固定するためのアーム固定面（ネジ固定面）５３が形成されている。
平坦部５２には、図１５に示すように、環状のパッキン１８（図３）を介して、蓋体１６がネジ（不図示）でネジ止め固定される。蓋体１６は、貫通孔５２Ａを塞ぐ閉塞部材であり、蓋体１６をベースケース体２１に取り付けた際には、蓋体１６とベースケース体２１との間でパッキン１８が挟み込まれて、貫通孔５２Ａがシールされる。これにより、貫通孔５２Ａから水等の異物がケース体２０内（仕切２４で囲まれる空間Ｒ）に侵入することを防止して、器具本体１０を確実に防水できる。
【００３７】
次いで、アーム型の支柱３に街路灯１が取り付けられる場合の固定構造について説明する。
図１６乃至図１８はアーム型の支柱３に取り付けられる街路灯１を示す図であり、図１６はアーム用ホルダ５１を取り付けたアーム用固定部５０を上方から拡大して示す斜視図であり、図１７は蓋体１７を取り外したポール用固定部４０を下方から拡大して示す斜視図であり、図１８は蓋体１７を取り付けたポール用固定部４０を下方から拡大して示す斜視図である。
アーム型の支柱３に街路灯１が取り付けられる場合に使用されるアーム用ホルダ５１は、図１６及び図１７に示すように、支柱２の内側に配置される筒部５１Ａと、筒部５１Ａの端面に形成されるフランジ部５１Ｂとを備えている。
【００３８】
アーム用固定部５０は、図１３に示すように、ケース体２０の天井面２０Ａに、アーム用ホルダ５１を固定するためのホルダ固定面（ネジ固定面）５４を備えている。ホルダ固定面５４は、固定壁４４の内側に形成された平面視略円形枠状の固定壁５５の先端５５Ａに形成されている。ホルダ固定面５４は固定壁５５の先端５５Ａよりも天井面２０Ａからの高さが低く形成されている。
図１７に示すように、アーム用ホルダ５１は、筒部５１Ａが貫通孔５２Ａに下方から挿入され、フランジ部５１Ｂがホルダ固定面５４に固定具としてのネジ（不図示）でネジ止めされることで、アーム用固定部５０に固定される。支柱３は、図９及び図１６に示すように、ケース体２０の天面１０Ｂから突出するアーム用ホルダ５１の筒部５１Ａの外周面に固定具としてのネジ（不図示）で固定される。
【００３９】
ポール用固定部４０には、図１８に示すように、蓋体１７がネジ（不図示）でネジ止め固定される。蓋体１７は、ポール用固定部４０（特に、仕切２４で囲まれる空間Ｒ）を塞ぐ化粧部材であり、ポール用ホルダ４１を固定するためのホルダ固定面４３に固定される。
このように、蓋体１７をホルダ固定面４３に固定し、蓋体１７の固定部をポール用ホルダ４１の固定部と兼用するため、蓋体１７を固定する固定部を設ける必要がなく、ポール用固定部４０の構成を簡素化できる。
【００４０】
以上説明したように、本実施形態によれば、器具本体１０のケース体２０の底面１０ＡにＣＯＢ型ＬＥＤ３３を配置し、器具本体１０の周りにケース体２０から延出する支持体６１を設け、支持体６１に、ＣＯＢ型ＬＥＤ３３の出射光を制御する配光制御部材７０を着脱自在に取り付ける構成とした。この構成により、周辺の明るさに応じて配光制御部材７０を変更できるので、周辺の明るさに応じて容易に配光制御できる。
【００４１】
また、本実施形態によれば、ケース体２０の天面１０Ｂにアーム型の支柱３を固定するアーム用固定部５０を設けるとともに、ケース体２０の底面１０Ａにポール型の支柱２を固定するポール用固定部４０を設ける構成とした。この構成により、支柱２，３が器具本体１０の側面に配置されないので、器具本体１０の周りに配光制御でき、光設計の自由度が向上する。
【００４２】
また、本実施形態によれば、アーム用固定部５０とポール用固定部４０とを対向して設けたため、アーム用固定部５０及びポール用固定部４０をコンパクトに配置できるとともに、例えばアーム用固定部５０及びポール用固定部４０の一部を兼用することもできる。
【００４３】
また、本実施形態によれば、器具本体１０の周囲に支持体６１に支持される化粧枠６０を設け、配光制御部材７０を化粧枠６０に固定し、器具本体１０と別体の化粧枠６０に配光制御部材７０を取り付ける構成とした。この構成により、例えば器具本体１０を防水構造とした場合であっても、配光制御部材７０の着脱時に、器具本体１０の防水構造を変更する必要がないので、配光制御部材７０を容易に着脱できる。
【００４４】
また、本実施形態によれば、配光制御部材７０は周辺の明るさを加味した明るさ感が所定値となるように構成され、具体的には所定値を街路における理想的な光環境を表す略４．０ＮＢとする構成としたため、人が理想的であると感じる光環境を容易に実現できる。
【００４５】
また、本実施形態によれば、配光制御部材７０は、周辺の明るさが高い場所に設置される場合には主として器具本体１０の直下へ配光し、周辺の明るさが低い場所に設置される場合には器具本体１０の周囲へ配光するように構成される。これにより、暗くもなく明るく、明るさが適切であり、グレアが気にならない理想的な光環境に近づけることができる。
【００４６】
但し、上述の実施形態は本発明の一態様であり、本発明の趣旨を逸脱しない範囲において適宜変更可能であるのは勿論である。
例えば、上述の実施形態では、ポール用固定部４０及びアーム用固定部５０を器具本体１０の中央部１１Ａに設けたが、これに限定されるものではなく、偏心した位置に設けてもよい。
また、上述の実施形態では、ポール用固定部４０とアーム用固定部５０とを対向して設けたが、これに限定されず、ずらした位置に配置してもよい。
【００４７】
また、上述の実施形態では、器具本体１０を平面視で略円形に形成したが、器具本体１０の形状はこれに限定されるものではない。
また、上述の実施形態では、配光制御部材７０を、町（例えば公園など）のような周辺の明るさが低い場所で使用される拡散部材としての配光制御部材７０Ａと、街（例えば商業施設など）のような周辺の明るさが高い場所で使用される遮光部材としての配光制御部材７０Ｂとの２種類の例を挙げて説明したが、これらに限定されるものではない。配光制御部材７０は、周辺の明るさに応じて構成されるものであり、配光制御する部材やその数は任意に設定可能である。また、配光制御部材７０は、その配光設計に必ずしも周辺の明るさの算出を必要とするものではなく、例えば、配光制御が異なる複数の配光制御部材を用意し、これら複数の配光制御部材から周辺の明るさに応じて配光制御部材を選定してもよい。
【００４８】
また、本発明は、街路灯に適用したが、街路灯に限らず種々の照明器具（ブラケットライトやアプローチライト）により構成される場合であっても適用可能である。
【符号の説明】
【００４９】
１  街路灯
２，３  支柱
１０  器具本体
１０Ａ  底面
１０Ｂ  天面
３３  ＣＯＢ型ＬＥＤ（発光素子）
４０  ポール用固定部
５０  アーム用固定部
６０  化粧枠（支持部材）
６１  支持体
７０，７０Ａ，７０Ｂ  配光制御部材
Ｆ  光軸
【図１】
2015082357.tif 000003
【図２】
2015082357.tif 000004
【図３】
2015082357.tif 000005
【図５】
2015082357.tif 000006
【図７】
2015082357.tif 000007
【図８】
2015082357.tif 000008
【図９】
2015082357.tif 000009
【図１０】
2015082357.tif 000010
【図１１】
2015082357.tif 000011
【図１２】
2015082357.tif 000012
【図１３】
2015082357.tif 000013
【図１４】
2015082357.tif 000014
【図１５】
2015082357.tif 000015
【図１６】
2015082357.tif 000016
【図１７】
2015082357.tif 000017
【図１８】
2015082357.tif 000018
【図４】
2015082357.tif 000019
【図６】
2015082357.tif 000020